(57)【特許請求の範囲】
【請求項１】
携帯機器用回路基板に、撮像素子を接続してあるカメラ用回路基板が接続されており、
前記カメラ用回路基板には、前記撮像素子に被写体を撮像可能な位置に光学機器ユニットが搭載されており、
前記撮像素子は前記カメラ用回路基板の外周部に形成してある接続端子部にワイヤボンディングされており、
前記光学機器ユニットは、筒状部を有し、当該筒状部の端面で前記カメラ用回路基板に当接し、接着剤を用いて前記カメラ用回路基板に接着されるものであり、
前記端面の内周角部には、前記接着剤充填用の溝部が設けられ、
前記接着剤は、前記溝部からその内側に向かって塗布され、前記ワイヤボンディングされたワイヤと前記接続端子部との接続部に至っている
ことを特徴とする携帯機器用カメラ。
【発明の詳細な説明】
【０００１】
【発明の属する技術分野】
本発明は、携帯電話機やノート型パソコン等の携帯機器に搭載されるカメラに関する。
【０００２】
【従来の技術】
従来のこの種のカメラでは、図５に示すように、カメラ用回路基板Ａに撮像素子Ｂが接続されていると共に、カメラ用回路基板Ａには光学機器ユニットＣが搭載されている。そして光学機器ユニットＣは、レンズ等の光学部材Ｄを保持するとともに、撮像素子Ｂの中心に設けてある受光部ｂに対向して光学フィルタＥを保持している。光学機器ユニットＣは、カメラ用回路基板Ａに向かって突出する筒状部の端面でカメラ用回路基板Ａに当接し、接着剤Ｆを用いて接着されるものである。
【０００３】
【発明が解決しようとする課題】
このような構成の場合、筒状部の端面のみに接着剤Ｆを塗布させるので、接着面積が狭く、接着強度が十分に得られない。そこで、接着剤Ｆの塗布量を増やし、端面に塗布してカメラ用回路基板Ａに押し付けて接着すると、接着剤Ｆが端面の内側や外側に向けて不均等にはみ出し、内側に向けてはみ出した接着剤Ｆ１が撮像素子Ｂの受光部ｂ上まで至り、撮像素子Ｂが処理する画像データの品質が低下する問題や、外側に向けてはみ出した接着剤Ｆ２がカメラ用回路基板Ａの外周部及び端面に設けてある接続端子部ａを覆って、接続端子部ａと不図示の他の回路端子との端子間の導通を不能にする等の問題を生じ、接着強度を十分に得ながら接着剤を適量塗布することが困難であるという問題点がある。
【０００４】
そこで本発明は、接着強度を十分に得ながら接着剤を所望の位置に所望の量だけ塗布するようにして、意図しない位置への接着剤のはみ出しを防止する。
【０００５】
【課題を解決するための手段】
本発明の携帯機器用カメラは、携帯機器用回路基板に、撮像素子を接続してあるカメラ用回路基板が接続されており、前記カメラ用回路基板には、前記撮像素子に被写体を撮像可能な位置に光学機器ユニットが搭載されており、前記撮像素子は前記カメラ用回路基板の外周部に形成してある接続端子部にワイヤボンディングされており、前記光学機器ユニットは、筒状部を有し、当該筒状部の端面で前記カメラ用回路基板に当接し、接着剤を用いて前記カメラ用回路基板に接着されるものであり、前記端面の内周角部には、前記接着剤充填用の溝部が設けられ、前記接着剤は、前記溝部からその内側に向かって塗布され、前記ワイヤボンディングされたワイヤと前記接続端子部との接続部に至っていることを特徴としている。この構成により、光学機器ユニットとカメラ用回路基板とを接着する接着剤が溝部からワイヤと接続端子部との接続部に至っているので、カメラ用回路基板側の接着面積を広げることが可能となり、光学機器ユニットとカメラ用回路基板との接着強度を十分に得ることができ、かつ撮像素子が何等かの外力の作用により移動してワイヤに力が及んだとしても、ワイヤと接続端子部との接続部が分離することがなく、導通状態を保つことができる。
【０００６】
前記端面の内周角部には、前記接着剤充填用の溝部が設けられていることにより光学機器ユニット側の接着面積を広げることが可能となり、光学機器ユニットとカメラ用回路基板との接着強度を十分に得ることができる。また、接着剤の一定の量を溝部に充填することが容易にでき、かつ端面に接着剤を塗布しないので接着剤が筒状部の外側へはみ出すことを防止できる。
【０００７】
【発明の実施の形態】
本発明の実施の一形態について、図面を参照して説明する。
【０００８】
図１に示すように、カメラ用回路基板１の端面に多数の接続端子部１１が整列して形成してある。この接続端子部１１は、表面及び裏面に配線パターンを形成し、この配線パターンの端部に端面スルーホールを形成し、端面スルーホールの中に、導電部材である例えば銅ペーストを埋め込み、表面及び裏面の配線パターンと銅ペーストの表面に金めっき層を形成して接続端子部１１としたものである。このために接続端子部１１は、カメラ用回路基板１の端面に凹部とならないで平坦面に整列して形成してなる。
【０００９】
カメラ用回路基板１の上面中央部には、撮像素子２を収納する凹部１ａが設けてあり、対角線上の隅部には、後述の光学機器ユニット３を位置決めするための穴部１ｂ，１ｃが形成してある。穴部１ｃは対角線方向に僅かに長穴に形成してあり、光学機器ユニット３の僅かな誤差に対応できるようにしてある。凹部１ａ内に撮像素子２が収納固定され、撮像素子２の上面の中心には、受光部２ａが設けてある。撮像素子２の不図示の端子部とカメラ用回路基板１の接続端子部１１とは、図２に示すワイヤ２ｂを用いてワイヤボンディングされている。
【００１０】
カメラ用回路基板１上には、撮像素子２と対向的に光学機器ユニット３を搭載している。カメラ用回路基板１と光学機器ユニット３との位置決めのために、前記のようにカメラ用回路基板１の対角線上の隅部に穴部１ｂ，１ｃが設けられており、光学機器ユニット３側からは後述の位置決め突起を突出させて両者を嵌合させて位置決めしている。
【００１１】
図２に示すように、光学機器ユニット３は、レンズ３１等の光学部材を保持するホルダを、第１ホルダ３２と第２ホルダ３３の２つの部材で構成し、このホルダとレンズ３１を押える押え部材３４とからなる。ホルダは第１ホルダ３２と第２ホルダ３３とを螺合して光軸方向の長さを調整可能にしている。即ち、第１ホルダ３２にレンズ３１を保持させ、第１ホルダ３２の上面から上方に突出させた連結片３２ａに押え部材３４の凹部３４ａを嵌合させ相互に係止させることによりレンズ３１を脱出不能に押えている。押え部材３４の上面中央には絞り部３４ｂが設けてある。第１ホルダ３２の外周部には円筒部３２ｂを下方に突出して設けてあり、円筒部３２ｂの内周面には雌ねじ部３２ｃが形成してある。
【００１２】
第１ホルダ３２に螺合する第２ホルダ３３は、上方に円筒部３３ａを突出して設け、円筒部３３ａの外周面に、雌ねじ部３２ｃとねじ合わされる雄ねじ部３３ｂが形成してある。第１ホルダ３２の雌ねじ部３２ｃと第２ホルダ３３の雄ねじ部３３ｂとのねじ合わせ量を加減することで、レンズ３１と受光部２ａとの間の距離を調整することができ、所謂ピントの合わせ込みが可能である。
【００１３】
第２ホルダ３３により、レンズ３１と対向しかつ撮像素子２と対向するように赤外線カットフィルタ等の光学フィルタ３５が保持されている。第２ホルダ３３にはレンズ３１と対向して開口３３ｃが設けてあり、開口３３ｃの周囲の下面側にフィルタ収納部３３ｄを設け、ここに光学フィルタ３５を収納し接着剤を用いて接着されている。
【００１４】
第２ホルダ３３からは下方に筒状部３３ｅを突出し、筒状部３３ｅの端面はカメラ用回路基板１に当接する。ホルダとカメラ用回路基板１との間の位置決めのために、筒状部３３ｅの対角線位置には、カメラ用回路基板１の対角線位置に設けた穴部１ｂ，１ｃに嵌合可能な位置に、位置決め突起３３ｆを下方に向けて突出させてある。位置決め突起３３ｆを穴部１ｂ，１ｃに嵌合させることにより第２ホルダ３３を介して光学機器ユニット３が位置決めされる。
【００１５】
光学機器ユニット３をカメラ用回路基板１に接着するに際して、筒状部３３ｅの内周の全周に亘ってその内周面からその内側に向かって接着剤３６を塗布し、光学機器ユニット３をカメラ用回路基板１に対して位置決めしてカメラ用回路基板１に押圧する。接着剤３６は、筒状部３３ｅとカメラ用回路基板１の上面とを接着するとともに、筒状部３３ｅの内部では、ワイヤボンディングされたワイヤ２ｂと接続端子部１１との接続部に至って両者を接着し、これによりカメラユニットが構成される。
【００１６】
このように接着剤３６を設けると、カメラ用回路基板１側の接着面積を広げることが可能となり、光学機器ユニット３とカメラ用回路基板１との接着強度を十分に得ることができ、かつ接着剤３６が筒状部３３ｅの端面の外部にはみ出すことがないので、カメラ用回路基板１の外周形状は筒状部３３ｅにほぼ等しい程度に小型化できる。また、接着剤３６によってワイヤ２ｂと接続端子部１１との接続部が接着されるので、凹部１ａ内に隙間をもって収納してある撮像素子２が何等かの外力の作用により移動してワイヤ２ｂが引っ張られたとしても、ワイヤ２ｂが接続端子部１１から分離することがなく、導通状態を保つことができる。なお、使用する接着剤３６は硬化した後に適度の弾性を有するものであることが望ましい。また、カメラ用回路基板１と硬化後の接着剤との膨張係数が等しいような接着剤を用いることが望ましい。これにより、前記のような場合に、ワイヤ２ｂが引っ張られたとしても、硬化した接着剤に弾性があることによって、ワイヤ２ｂが接着剤とワイヤ２ｂとの間で切断される危険性が低くなる。また、温度条件の変化によりカメラ用回路基板１が変形しても、カメラ用回路基板１の変形と共に接着剤３６も同様な変形をするので、ワイヤ２ｂと接続端子部との接続部に変化はなく、正常な導通状態が保たれる。
【００１７】
図２に示すように、不図示の携帯機器用のケースの内部には、携帯機器用回路基板５が固定的に設けてあり、携帯機器用回路基板５にはカメラ用回路基板１が嵌合可能なソケット部５ａが設けてある。ソケット部５ａの内面に、接続端子部１１に当接して導通する不図示の端子部が設けてある。ソケット部５ａにカメラ用回路基板１が嵌合して接続端子部１１と端子部が導通した状態では、この導通の方向は基板１及び５の面方向である。
【００１８】
図３は本発明の実施の形態を示すもので、筒状部３３ｅの内周角部に、接着剤充填用の溝部３３ｇが設けられている。光学機器ユニット３とカメラ用回路基板１の接着に際して、溝部３３ｇ内に接着剤３６を塗布充填し、光学機器ユニット３をカメラ用回路基板１に対して位置決めしてカメラ用回路基板１に押圧する。このような構成によれば、光学機器ユニット３側の接着面積を広げることが可能となり、光学機器ユニット３とカメラ用回路基板１との接着強度を十分に得ることができる。また、接着剤３６が、溝部３３ｇによってその塗布量が容易に定められ、かつ筒状部３３ｅの端面に塗布されないので、接着剤が端面の外部にはみ出すことはない。その他、図２と実質的に同一の個所には同一の符号を付している。
【００１９】
図４は、筒状部３３ｅの外周角部にその全周に亘って、接着剤充填用の溝部３３ｈが設けられている。光学機器ユニット３とカメラ用回路基板１の接着に際して、溝部３３ｈ内に接着剤３６を塗布充填し、光学機器ユニット３をカメラ用回路基板１に対して位置決めしてカメラ用回路基板１に押圧する。このような構成によれば、光学機器ユニット３側の接着面積を広げることが可能となり、光学機器ユニット３とカメラ用回路基板１との接着強度を十分に得ることができる。また、接着剤３６が、溝部３３ｈによってその塗布量が容易に定められ、かつ筒状部３３ｅの端面に塗布されないので、接着剤が端面の内部にはみ出すことはなく、端面の外部にはみ出す量を少なくすれば、接続端子部１１の外周面に流れて導通を損なうこともない。安全性を考慮して、カメラ用回路基板１の外周形状を図１〜図３のものよりも若干大きく図示している。その他、図２と実質的に同一の個所には同一の符号を付している。
【００２０】
【発明の効果】
以上に説明したように、本発明は光学機器ユニットの筒状部の端面をカメラ用回路基板に当接して接着剤を用いて接着するに際して、筒状部の内周面からその内側に向かって塗布され、ワイヤボンディングされたワイヤと接続端子部との接続部に至っているようにしているので、カメラ用回路基板側の接着面積を広げることが可能となり、光学機器ユニットとカメラ用回路基板との接着強度を十分に得ることができ、かつ撮像素子が何等かの外力の作用により移動してワイヤに力が及んだとしてもワイヤと接続端子部との接続部が分離することがなく、導通状態を安定して保つことができる。また、端面の内周角部に接着剤充填用の溝部を設けているので、光学機器ユニット側の接着面積を広げることが可能となり、光学機器ユニットとカメラ用回路基板との接着強度を十分に得ることができ、かつ接着剤を一定の量だけ塗布することが容易にでき、意図しない位置に接着剤がはみ出すことを防止できる。
【図面の簡単な説明】
【図１】  本発明の実施の一形態を示すもので、光学機器ユニットを取り外した状態の平面図である。
【図２】  同、携帯機器用カメラの中央縦断面図である。
【図３】  本発明の実施の形態を示す中央縦断面図である。
【図４】  他の形態を示す中央縦断面図である。
【図５】  従来の携帯機器用カメラの中央断面図である。
【符号の説明】
１      カメラ用回路基板
１１    接続端子部
２      撮像素子
２ｂ    ワイヤ
３      光学機器ユニット
３３ｅ  筒状部
３３ｇ  端面の内周角部の溝部
３３ｈ  端面の外周角部の溝部
３６    接着剤
５      携帯機器用回路基板
【図１】
0003847108.tif 000002
【図２】
0003847108.tif 000003
【図３】
0003847108.tif 000004
【図４】
0003847108.tif 000005
【図５】
0003847108.tif 000006